(57)【要約】【課題】ボルトの軸部を第１ボルト孔と第２ボルト孔に挿通して締結する際に、第１端子と第２端子が回転することを防止する。【解決手段】本明細書によって開示されるボルト締め端子１０は、ボディ５０にボルト締めによって固定されるボルト締め端子１０であって、ボディ５０に係止する回り止め部２４を有する第１端子２０と、第１端子２０におけるボディ５０とは反対側に配される第２端子とを備え、第１端子２０は、ボルトＢの軸部Ｂ１が挿通される第１ボルト孔２２と、第１ボルト孔２２の中心Ｃから径方向に延びる軸線Ｐに対して交差する配置で設けられた第１回転防止部とを有し、第２端子は、ボルトＢの軸部Ｂ１が挿通される第２ボルト孔と、第２ボルト孔の中心Ｃから径方向に延びる軸線Ｐに対して交差する配置で設けられ第１回転防止部に当接することで第１端子２０に対して回り止めがなされる第２回転防止部とを有する構成とした。【選択図】図３
2017183040.tif 000002
【特許請求の範囲】
【請求項１】
ボディにボルト締めによって固定されるボルト締め端子であって、
前記ボディに係止する回り止め部を有する第１端子と、
前記第１端子における前記ボディとは反対側に配される第２端子とを備え、
前記第１端子は、ボルトの軸部が挿通される第１ボルト孔と、前記第１ボルト孔の中心から径方向に延びる軸線に対して交差する配置で設けられた第１回転防止部とを有し、
前記第２端子は、前記ボルトの軸部が挿通される第２ボルト孔と、前記第２ボルト孔の中心から径方向に延びる軸線に対して交差する配置で設けられ前記第１回転防止部に当接することで前記第１端子に対して回り止めがなされる第２回転防止部とを有するボルト締め端子。
【請求項２】
前記第１回転防止部と前記第２回転防止部は、直線状に延びる形態とされている請求項１に記載のボルト締め端子。
【請求項３】
前記第１回転防止部は前記第１ボルト孔の両側に一対設けられ、前記第２回転防止部は前記第２ボルト孔の両側に一対設けられている請求項１または請求項２に記載のボルト締め端子。
【請求項４】
前記第２端子は、下側端子と上側端子を互いに組み合わせた組合せ端子である請求項１から請求項３のいずれか一項に記載のボルト締め端子。
【請求項５】
前記第１回転防止部は、前記第１ボルト孔が開口して設けられた第１本体部の側縁から前記第２回転防止部に沿って設けられた外壁である請求項１から請求項４のいずれか一項に記載のボルト締め端子。
【発明の詳細な説明】
【技術分野】
【０００１】
本明細書によって開示される技術は、ボルト締め端子に関する。
【背景技術】
【０００２】
従来、複数の端子を重ねた状態でボルトを締め込むことによって固定するボルト締め端子として、特開２００１−１７６５７４号公報（下記特許文献１）に記載の端子金具の固定構造が知られている。端子金具は、ねじのねじ軸を挿通可能な挿通孔が開口された組付部と、電線が接続される電線接続部とを有している。一対の端子金具は、それぞれの電線接続部が互いに外側を向くような背中合わせの状態で重ね合わせ状態とされて、スペーサ部材に載置される。この後、ねじのねじ軸を各挿通孔に挿通させつつ、装着面のねじ付け孔に締め込むことで一対の端子金具がスペーサ部材とともに装着面に固定される。この固定構造では、下側の端子金具の電線接続部と装着面との間にスペーサ部材が介在されているため、端子金具が傾くことなく固定される。また、電線接続部がスペーサ部材の逃がし部の開口部に当接するため、各端子金具が周方向に位置ずれすることを回避できる。
【先行技術文献】
【特許文献】
【０００３】
【特許文献１】特開２００１−１７６５７４号公報
【発明の概要】
【発明が解決しようとする課題】
【０００４】
しかしながら、上記のスペーサ部材は、合成樹脂により一体に成形されたものであり、電気的な接続に不可欠なものではないため、部品点数の削減という観点から好ましいとはいえない。また、上記の固定構造では、スペーサ部材が存在しているために各端子金具と装着面とがねじによって中継接続されており、電気的な接続の観点からは下側の端子金具を装着面に直接接続させることが好ましい。
【課題を解決するための手段】
【０００５】
本明細書によって開示されるボルト締め端子は、ボディにボルト締めによって固定されるボルト締め端子であって、前記ボディに係止する回り止め部を有する第１端子と、前記第１端子における前記ボディとは反対側に配される第２端子とを備え、前記第１端子は、ボルトの軸部が挿通される第１ボルト孔と、前記第１ボルト孔の中心から径方向に延びる軸線に対して交差する配置で設けられた第１回転防止部とを有し、前記第２端子は、前記ボルトの軸部が挿通される第２ボルト孔と、前記第２ボルト孔の中心から径方向に延びる軸線に対して交差する配置で設けられ前記第１回転防止部に当接することで前記第１端子に対して回り止めがなされる第２回転防止部とを有する構成とした。
【０００６】
このような構成によると、第１端子の回り止め部がボディに係止することで第１端子がボディに対して回り止めされており、回り止めされた第１端子に対して第２端子を配置したときに、第２回転防止部が第１回転防止部に当接することで第２端子が第１端子に対して回り止めされることになる。したがって、ボルトの軸部を第１ボルト孔と第２ボルト孔に挿通して締結する際に、第１端子と第２端子が回転することを防止できる。
【０００７】
本明細書によって開示されるボルト締め端子は、以下の構成としてもよい。
前記第１回転防止部と前記第２回転防止部は、直線状に延びる形態とされている構成としてもよい。
このような構成によると、直線状に延びる形態の第１回転防止部に対して直線状に延びる形態の第２回転防止部が当接することで、第１端子に対する第２端子の回転が防止される。したがって、第１回転防止部と第２回転防止部を複雑な形状にしなくてもよく、直線状という簡素な形状で回転防止が可能になる。
【０００８】
前記第１回転防止部は前記第１ボルト孔の両側に一対設けられ、前記第２回転防止部は前記第２ボルト孔の両側に一対設けられている構成としてもよい。
このような構成によると、一対の第１回転防止部に一対の第２回転防止部が当接するため、回転防止の効果を高めることができる。
【０００９】
前記第２端子は、下側端子と上側端子を互いに組み合わせた組合せ端子である構成としてもよい。
このような構成によると、下側端子と上側端子を互いに組み合わせることで組合せ端子とし、この組合せ端子の第２回転防止部を第１端子の第１回転防止部に当接させることで回転防止を行うことができる。
【００１０】
前記第１回転防止部は、前記第１ボルト孔が開口して設けられた第１本体部の側縁から前記第２回転防止部に沿って設けられた外壁である構成としてもよい。
このような構成によると、第１本体部の側縁に外壁を設けることで第１回転防止部を構成できる。
【発明の効果】
【００１１】
本明細書によって開示される端子によれば、ボルトの軸部を第１ボルト孔と第２ボルト孔に挿通して締結する際に、第１端子と第２端子が回転することを防止できる。
【図面の簡単な説明】
【００１２】
【図１】実施形態におけるボルト締め端子の構成部品を示した分解斜視図
【図２】ボルト締め端子の斜視図
【図３】ボルト締め端子の平面図
【図４】図３におけるＡ−Ａ線断面図
【図５】図３におけるＢ−Ｂ線断面図
【発明を実施するための形態】
【００１３】
＜実施形態＞
実施形態を図１から図４の図面を参照しながら説明する。実施形態におけるボルト締め端子１０は、図１に示すように、第１端子２０と、下側端子３０と、上側端子４０とを備えて構成されている。このボルト締め端子１０は、図５に示すように、車両のボディ５０にボルトＢで固定されるアース端子とされている。各端子２０、３０、４０は、それぞれ電線Ｗの端末に接続されており、複数の電線Ｗをボディ５０に一括してアース接続することができるようになっている。ボディ５０には、ボルトＢの軸部Ｂ１が螺合するねじ孔５１と、第１端子２０を回り止めするための係止孔５２とが設けられている。
【００１４】
第１端子２０は、図１に示すように、第１ボルト孔２２が開口して設けられた第１本体部２１と、第１本体部２１の後方に連なって設けられた第１電線接続部２３とを備えて構成されている。第１本体部２１は、導電性の金属平板をプレス加工することで形成されている。また、第１本体部２１は前後方向に長い形態とされ、第１本体部２１の後端部に第１電線接続部２３が連結されている。第１電線接続部２３は、電線Ｗの芯線Ｗ１に圧着されるワイヤバレル２３Ａと、電線Ｗの絶縁被覆Ｗ２に圧着されるインシュレーションバレル２３Ｂとを有している。
【００１５】
一方、第１本体部２１の前端部には回り止め部２４が設けられており、この回り止め部２４は、第１本体部２１の前端部から下方に延出されている。図５に示すように、回り止め部２４は、ボディ５０の係止孔５２に嵌まり込んで係止するようになっている。これにより、第１ボルト孔２２がボディ５０のねじ孔５１にほぼ同軸で配置され、ボルトＢの軸部Ｂ１を第１ボルト孔２２を通してねじ孔５１に締結する際に、第１端子２０がボディ５０に対して回転することを防止できるようになっている。
【００１６】
第１本体部２１の左右両側縁には、一対の外壁２５が上方に突出する形態で設けられている。図３に示すように、各外壁２５は、第１ボルト孔２２の中心Ｃから径方向に延びる軸線Ｐに対して直交する配置で設けられている。外壁２５は前後方向に直線状に延びる形態とされている。図４に示すように、外壁２５の第１本体部２１の上面からの高さは、下側端子３０と上側端子４０を互いに組み合わせた状態の厚さとほぼ同じとされている。
【００１７】
図１および図２に示すように、下側端子３０と上側端子４０は、互いに組み合わせることで一体に構成される組合せ端子とされている。下側端子３０は、下側ボルト孔３２が開口して設けられた下側本体部３１と、下側本体部３１の後方に連なって設けられた下側電線接続部３３とを備えて構成されている。下側電線接続部３３は、第１電線接続部２３と同じ構成であって、ワイヤバレル３３Ａと、インシュレーションバレル３３Ｂとを有している。
【００１８】
下側本体部３１は、組合せ凹部３４と、組合せ凸部３５とを有している。組合せ凹部３４は下側ボルト孔３２の図示右側（下側電線接続部３３に近い側）に配され、組合せ凸部３５は下側ボルト孔３２の図示左側に配されている。組合せ凹部３４は、下側ボルト孔３２から下側本体部３１の右側縁３６に至る範囲に設けられている。下側本体部３１の右側縁３６は、前後方向に直線状に延びる形態とされている。また、組合せ凸部３５は、下側ボルト孔３２の周縁部から左側に突出する形態をなし、その突出端３７は、下側本体部３１の左端に位置している。
【００１９】
上側端子４０は、上側ボルト孔４２が開口して設けられた上側本体部４１と、上側本体部４１の後方に連なって設けられた上側電線接続部４３とを備えて構成されている。上側電線接続部４３は、第１電線接続部２３と同じ構成であって、ワイヤバレル４３Ａと、インシュレーションバレル４３Ｂとを有している。
【００２０】
上側本体部４１は、下側本体部３１を上下逆に配置した形状とされ、組合せ凹部４４と、組合せ凸部４５とを有している。組合せ凹部４４は上側ボルト孔４２の図示左側（上側電線接続部４３に近い側）に配され、組合せ凸部４５は上側ボルト孔４２の図示右側に配されている。組合せ凹部４４は、上側ボルト孔４２から上側本体部４１の左側縁４６に至る範囲に設けられている。上側本体部４１の左側縁４６は、前後方向に直線状に延びる形態とされている。また、組合せ凸部４５は、上側ボルト孔４２の周縁部から右側に突出する形態をなし、その突出端４７は、上側本体部４１の右端に位置している。
【００２１】
下側端子３０と上側端子４０をスライドさせながら互いに組み合わせると、図４に示すように、下側端子３０の組合せ凸部３５が上側端子４０の組合せ凹部４４に嵌合し、上側端子４０の組合せ凸部４５が下側端子３０の組合せ凹部３４に嵌合する。すると、組合せ凸部３５に設けられた突起３５Ａが組合せ凹部４４に設けられた孔４４Ａに嵌まって係止し、組合せ凸部４５に設けられた突起４５Ａが組合せ凹部３４に設けられた孔３４Ａに嵌まって係止する。これにより、下側端子３０と上側端子４０は組合せ端子として一体に固定される。
【００２２】
また、下側端子３０と上側端子４０が組み合わされた状態では、下側端子３０の右側縁３６と上側端子４０の突出端４７とが上下方向に揃って配置され、上側端子４０の左側縁４６と下側端子３０の突出端３７とが上下方向に揃って配置される。図３に示すように、下側端子３０の右側縁３６と上側端子４０の突出端４７とによって前後方向に延びる右側直線部Ｒ１が構成され、この右側直線部Ｒ１が右側の外壁２５の内面に沿って配される。また、上側端子４０の左側縁４６と下側端子３０の突出端３７とによって前後方向に延びる左側直線部Ｌ１が構成され、この左側直線部Ｌ１が左側の外壁２５の内面に沿って配される。さらに、左側直線部Ｌ１と右側直線部Ｒ１は、各ボルト孔３２、４２の中心Ｃから径方向に延びる軸線Ｐに対して直交する配置で設けられている。
【００２３】
ここで、ボルトＢをねじ孔５１に締結する際に、下側端子３０と上側端子４０がボルト孔３２、４２を中心として一体のまま回転しようとすると、右側直線部Ｒ１が右側の外壁２５の内面に当接し、左側直線部Ｌ１が左側の外壁２５の内面に当接する。したがって、下側端子３０と上側端子４０は、第１端子２０に対して回転することが防止される。また、ボルトＢの締結作業前には、下側端子３０と上側端子４０が一対の外壁２５の間に収容されているため、下側端子３０と上側端子４０が互いに外れる方向へスライドすることが防止される。また、第１端子２０の第１本体部２１がボディ５０に直接接続されるため、ボルトＢによって中継接続する場合よりも接点数を少なくすることができる。
【００２４】
以上のように本実施形態では、第１端子２０の回り止め部２４がボディ５０に係止することで第１端子２０がボディ５０に対して回り止めされており、回り止めされた第１端子２０に対して第２端子（下側端子３０、上側端子４０）を配置したときに、第２回転防止部（左側直線部Ｌ１、右側直線部Ｒ１）が第１回転防止部（外壁２５）に当接することで第２端子が第１端子２０に対して回り止めされることになる。したがって、ボルトＢの軸部Ｂ１を第１ボルト孔２２と第２ボルト孔（下側ボルト孔３２、上側ボルト孔４２）に挿通して締結する際に、第１端子２０と第２端子が回転することを防止できる。
【００２５】
第１回転防止部と第２回転防止部は、直線状に延びる形態とされている構成としてもよい。
このような構成によると、直線状に延びる形態の第１回転防止部に対して直線状に延びる形態の第２回転防止部が当接することで、第１端子２０に対する第２端子の回転が防止される。したがって、第１回転防止部と第２回転防止部を複雑な形状にしなくてもよく、直線状という簡素な形状で回転防止が可能になる。
【００２６】
第１回転防止部は第１ボルト孔２２の両側に一対設けられ、第２回転防止部は第２ボルト孔の両側に一対設けられている構成としてもよい。
このような構成によると、一対の第１回転防止部に一対の第２回転防止部が当接するため、回転防止の効果を高めることができる。
【００２７】
第２端子は、下側端子３０と上側端子４０を互いに組み合わせた組合せ端子である構成としてもよい。
このような構成によると、下側端子３０と上側端子４０を互いに組み合わせることで組合せ端子とし、この組合せ端子の第２回転防止部を第１端子２０の第１回転防止部に当接させることで回転防止を行うことができる。
【００２８】
第１回転防止部は、第１ボルト孔２２が開口して設けられた第１本体部２１の側縁から第２回転防止部に沿って設けられた外壁２５である構成としてもよい。
このような構成によると、第１本体部２１の側縁に外壁２５を設けることで第１回転防止部を構成できる。
【００２９】
＜他の実施形態＞
本明細書によって開示される技術は上記記述及び図面によって説明した実施形態に限定されるものではなく、例えば次のような種々の態様も含まれる。
（１）上記実施形態では外壁２５と各直線部Ｌ１、Ｒ１が軸線Ｐに対して直交する配置で設けられているものの、必ずしも直交するものでなくてもよく、第１回転防止部と第２回転防止部が互いに当接するものであればよく、軸線Ｐに対して斜め方向に交差する配置としてもよい。
【００３０】
（２）上記実施形態では第１回転防止部および第２回転防止部として直線状に延びる形態の外壁２５および各直線部Ｌ１、Ｒ１を例示しているものの、例えば第１回転防止部を円弧状の外壁とし、第２回転防止部を円弧状の切欠部としてもよい。
【００３１】
（３）上記実施形態では外壁２５が第１ボルト孔２２の両側に設けられ、各直線部Ｌ１、Ｒ１が各ボルト孔３２、４２の両側に設けられているものの、例えば第１ボルト２２の左側のみに外壁２５を設けてもよい。
【００３２】
（４）上記実施形態では第２端子として下側端子３０および上側端子４０からなる組合せ端子を例示しているものの、１枚の端子としてもよいし、３枚以上の端子を重ねたものとしてもよい。
【００３３】
（５）上記実施形態では第１本体部２１の側縁から上方に突出する形態で外壁２５を設けているものの、第１本体部の一部を切り起こすことで外壁を設けてもよい。
【符号の説明】
【００３４】
１０…ボルト締め端子
２０…第１端子
２１…第１本体部
２２…第１ボルト孔
２４…回り止め部
２５…外壁
３０…下側端子（第２端子）
３２…下側ボルト孔（第２ボルト孔）
３６…右側縁（第２回転防止部）
３７…突出端（第２回転防止部）
４０…上側端子（第２端子）
４２…上側ボルト孔（第２ボルト孔）
４６…左側縁（第２回転防止部）
４７…突出端（第２回転防止部）
５０…ボディ
Ｂ…ボルト
Ｂ１…軸部
Ｃ…（ボルト孔の）中心
Ｐ…軸線
Ｌ１…左側直線部（第２回転防止部）
Ｒ１…右側直線部（第２回転防止部）
【図１】
2017183040.tif 000003
【図２】
2017183040.tif 000004
【図３】
2017183040.tif 000005
【図４】
2017183040.tif 000006
【図５】
2017183040.tif 000007